(57)【要約】【課題】粘着性のある液体を使った、地球環境にやさしい多機能型有機マルチシートの製造方法の提供。【解決手段】本発明では、粘着性のある液体を使った、地球環境にやさしい多機能型有機マルチシートの製造方法を開示している。本発明は、植物や農作物の茎、粉末、葉等を原料として、粘着性のある液体を使った、地球環境にやさしい多機能型有機マルチシートを生み出した。加工過程は、農業用マルチシートに要求される機械強度、光透過性、通気性、保温性、保湿性或いはその他の特殊効果（殺菌消毒剤の添加、栄養元素の補充、肥料の放出制御等）を備え、効果的に制御を行うことができる。具体的な加工技術は実際の状況に応じて選択可能である。本発明で作製される粘着性のある液体を使ったマルチシートは、経済的で、地球環境にやさしく、原料由来が豊富、廉価、生分解性、土壌改良、時間及び工賃の節約、コントロール性等の特徴を有するものである。【選択図】なし【特許請求の範囲】
【請求項１】
（ａ）廃棄農作物の茎、粉末、葉等の原料を水分が１２％±１％となるまで乾燥させたものを用意し、
（ｂ）篩分機を使用して１０ｍｍ以上の雑質と３００μｍ以下の細粉を選び出した後、直接貯蔵箱に送り、３００μｍ〜１０ｍｍの材料を金属セパレータに送り、金属雑質を取り除いてから、更に粉砕機に送り３００μメートル以下に粉砕し、篩い分けた後に貯蔵箱の中に送って予備とし、
（ｃ）貯蔵箱内の細粉と接着剤ＣＭＣ、化学肥料、殺虫剤等を、１２％±１％の細粉の重量に基づいて計算し、別途、接着剤ＣＭＣ：０．０１〜０．１％、化学肥料：０．１〜１０％、殺虫剤：０．００１〜０．１％を加え、均等に混合した後に液体混合装置内に送り、加熱条件の下で撹拌して均等に混合し、水量が６０％〜８０％の液体を作り、前記液体を成形装置に送り、
（ｄ）細粉を前述で成形した後の濃厚な液体を、連続的且つ均等に運転中の環状形ステンレスベルト上に敷き、湿り気のあるフィルム層を形成し、並びに、ステンレスベルトの下方に加熱装置を配置し、ステンレスベルトに熱を加えて前記フィルムを乾燥させ、
（ｅ）乾燥させたフィルムをステンレスベルト上から剥離させ巻きつけて農業用マルチシートを作る加工技術過程を有することを特徴とする粘着性のある液体を使った、地球環境にやさしい多機能型有機マルチシートの製造方法。
【発明の詳細な説明】
【技術分野】
【０００１】
本発明は、粘着性のある液体を使った、地球環境にやさしい多機能型有機マルチシートの製造方法に関する。
【背景技術】
【０００２】
地面を被覆する農業用マルチシートは地面の温度を向上させ、保湿し、肥料を減らし、雑草の生長を防止する等の作用によって農業の生産方法に変化をもたらし、その生産力を飛躍的に向上させた。現在では、根菜類などの野菜、苗圃、花卉、果物等の生産において多く利用されている。中国は１９７８年導入以来、マルチシートの使用面積は徐々に拡大されており、２００５年には既に９５．９万トンにも達した。使用面積は１３５３万ｈｍ２に達し、マルチシートを使用した栽培面積が世界最大の国となった。しかし、中国が現在使用しているマルチシートはポリエチレンやポリ塩化ビニールであるため分子量が大きく、自然条件下での分解が困難で、しかも大量に使用しているマルチシートの厚さは０．０１２ｍｍ以下がメインであるために強度が弱く破れ易く、回収過程における工賃及び時間を浪費するうえリサイクルも難しく、土壌中への残留量が年々増加する故に、土壌構造を破壊し、土壌の浸透性を低下させ、深刻な白色汚染（テイクアウト用に使われる発泡スチロール製容器やビニール袋による）を引き起こし、再生利用不可能な有機化工原料を大量に消耗させている。そこで、マルチシートの長所を継承するのと同時に、マルチシートでは代替できない作用を備える、植物繊維から作られた紙製の農業用マルチシートが出現した。
【０００３】
特許文献１の「植物繊維素（セルロース）製マルチシートとその製造技術」では、繊維素からの抽出、押出、粉砕、ポリマー分解、スルホン化溶解、ろ過、熟成しビスコース製造、シートスプレー、凝固、再生、脱硫、漂白、プラスチック化、引き伸ばし加圧、乾燥、コーティングの過程を経てシートを製造することが開示されている。特許文献２の「農業用マルチシート及びその製造方法」では、植物繊維原料を漉いて製作した紙を用い、動植物油によって防水、皺防止、光を通過させるフィルムであり、本発明の紙製の農業用マルチシートは保温、保湿、空気や水を通さない特徴を有し、低温地区での使用に適していることが開示されている。特許文献３の「サトウキビのカスと麦汁より製造する再生セルロース防水シート」では、銅アンモニア法に基づいて作られた再生セルロースシートは、可塑化及び乾燥後に分解性の低分子量ポリウレタンと不飽和ポリエステル樹脂を混合した塗料をシートの両面に塗布し、硬化・架橋により防水シートを得ることが開示されている。特許文献４の「植物セルロースを用いた農業用マルチシート及びその製造方法」では、紙製農業用マルチシートのベースは全て天然植物繊維によって構成され、40〜50日被覆して自然に生物分解を行わせる。製造技術には伝統的な製紙技術が用いられることが開示されている。特許文献５の「土壌を改良する紙製農業用マルチシートの製造方法」では、二層の木またはワラパルプセルロースの原紙の間に麦飯石の粉末をスプレー塗布し、その後、圧搾及び合成、カレンダリング及び穴あけ、カッティングを経て土壌を改良する紙製農業用マルチシートを製造することが開示されている。特許文献６の「複合肥料、薬物タイプの紙製農業用マルチシートの製造方法」では、原生植物繊維を原料とし、現有する製紙設備を用いて製造する方法が開示されている。    
【先行技術文献】
【特許文献】
【０００４】
【特許文献１】中国特許出願公開第ＣＮ１０８８２２５（出願番号第９２１１４５１４．４号）明細書
【特許文献２】中国特許出願公開第ＣＮ１１２４０８５（出願番号第９５１０９８８５．３号）明細書
【特許文献３】中国特許出願公開第ＣＮ１１４９５９４（出願番号第９５１１８１６１．０号）明細書
【特許文献４】中国特許出願公開第ＣＮ１２１７３５１（出願番号第９８１２１６１３．７号）明細書
【特許文献５】中国特許出願公開第ＣＮ１３３９５５３（出願番号第０１１２７４４９．２号）明細書
【特許文献６】中国特許出願公開第ＣＮ１８３７４６５（出願番号第２００６１００４６２６２．７号）明細書
【発明の概要】
【発明が解決しようとする課題】
【０００５】
しかし、現有する紙製農業用マルチシートの製造方法は、多かれ少なかれ再生不可能な資源に関わっていたり、質的欠陥や技術上の複雑性が存在し、コストが割高である現状が見られる。よって、経済的で、地球環境にやさしく、リサイクル可能で、コストを削減できる原料の由来が何かを深く考えていくことが紙製農業用マルチシートを推進応用する場合に第一に考えなければならない課題となる。
【課題を解決するための手段】
【０００６】
公知技術の中には存在する欠点に鑑み、本発明では、技術的に成熟した粘着性のある液体を使った、地球環境にやさしい多機能型有機マルチシートの製造方法を提供する。これによって、農業用マルチシートは、要求される機械強度、光透過性、通気性、保温性、保湿性或いはその他の特殊効果（殺菌消毒剤の添加、栄養元素の補充、肥料の放出制御等）を備えることができる。本発明で作製される紙製農業用マルチシートの特徴は、それの有する経済的で、地球環境にやさしい特性にあり、原料由来は、豊富、廉価、生分解性、土壌改良、時間及び工賃の節約等の特徴を有するものとする。
【０００７】
本発明は次の技術方法によって実現される。
【０００８】
本発明の粘着性のある液体を使った、地球環境にやさしい多機能型有機マルチシートの製造方法の特徴は、次の加工技術の過程にある。
（ａ）廃棄農作物の茎、粉末、葉等の原料を水分が１２％±１％となるまで乾燥させたものを用意する。
（ｂ）篩分機を使用して１０ｍｍ以上の雑質と３００μｍ以下の細粉を選び出した後、直接貯蔵箱に送る。３００μｍ〜１０ｍｍの材料を金属セパレータに送り、金属雑質を取り除き、更に粉砕機に送り３００μメートル以下に粉砕し、篩い分けた後に貯蔵箱の中に送り、予備とする。
（ｃ）貯蔵箱内の細粉と接着剤ＣＭＣ、化学肥料、殺虫剤等を、１２％±１％の細粉の重量に基づいて計算し、別途、接着剤ＣＭＣ：０．０１〜０．１％、化学肥料：０．１〜１０％、殺虫剤：０．００１〜０．１％を加え、均等に混合した後に液体混合装置内に送り、加熱条件の下で撹拌して均等に混合し、水量が６０％〜８０％の液体を作り、前記液体を成形装置に送る。
（ｄ）細粉を前述で成形した後の濃厚な液体を、連続的且つ均等に運転中の環状形ステンレスベルト上に敷き、湿り気のあるフィルム層を形成する。並びに、ステンレスベルトの下方に加熱装置を配置し、ステンレスベルトに熱を加えて前記フィルムを乾燥させる。
（ｅ）乾燥させたフィルムをステンレスベルト上から剥離させ巻きつけて農業用マルチシートを作る。
【発明の効果】
【０００９】
本発明の加工設備は、「粘着性のある液体を使うシートタバコ機器」中の環状形ステンレスベルト及びステンレスベルト下の加熱装置の一般設備部分を選択或いは模造し、実際の状況に基づいて装置を追加したり簡素化する。しかし、具体的な加工技術上のパラメータは原料の状況に応じて変えられ、最大の効果が得られるようにし、成分の均等化を原則とする。同時に、加工過程において、殺菌消毒剤、農業用化学肥料、土壌改良剤を製品設計に必要な「添加剤」として農業用マルチシートに添加するため、農業用マルチシートは使用と同時に、土壌改良、肥料制御等ができ、植物や農作物の廃棄原料をリサイクル利用でき、非常に経済的で地球環境にやさしい効果を有する。
【発明を実施するための形態】
【実施例】
【００１０】
粘着性のある液体を使った、地球環境にやさしい多機能型有機マルチシートの製造方法の加工過程は、次の通りである。
（ａ）廃棄植物や農作物の茎、粉末、葉等の原料を水分が１２％±１％となるまで乾燥させ、予備とする。
（ｂ）篩分機を使用して１０ｍｍ以上の雑質と３００μｍ以下の細粉を選び出した後、直接貯蔵箱に送る。３００μｍ〜１０ｍｍの材料を金属セパレータに送り、金属雑質を取り除き、更に粉砕機に送り３００μメートル以下に粉砕し、篩い分けた後に貯蔵箱に送り、予備とする。
（ｃ）貯蔵箱内の煙草の粉末と接着剤ＣＭＣ、化学肥料、殺虫剤等を、（１２％±１％の細粉の重量に基づいて計算し、別途、接着剤ＣＭＣ：０．０１〜０．１％、化学肥料：０．１〜１０％、殺虫剤：０．００１〜０．１％を加え、均等に混合）液体混合装置内に送り、熱及び水を加える条件の下で撹拌して均等に混合し、水量が６０％〜８０％の液体を作り、前記液体を成形装置に送る。
（ｄ）前述過程で成形後の煙草の液体を、連続的且つ均等に運転中の環状形ステンレスベルト上に敷き、湿り気のあるフィルム層を形成する。ステンレスベルトの下方に加熱装置を配置し、ステンレスベルトに熱を加えて前記フィルムを乾燥させる。
（ｅ）乾燥させたフィルムをステンレスベルト上から剥離させ巻きつけて農業用マルチシートを作る。